(57)【特許請求の範囲】
【請求項１】
ショ糖脂肪酸エステル（Ａ）０．１７５〜１０重量％、ポリグリセリン脂肪酸エステル（Ｂ）０．１７５〜１０重量％、およびイオン性界面活性剤（Ｃ）２〜３５重量％を含み、
前記イオン性界面活性剤（Ｃ）が、カチオン性界面活性剤、アニオン性界面活性剤、および両性界面活性剤から選ばれる少なくとも１種であり、
前記アニオン性界面活性剤が、アルキル硫酸塩；ポリオキシエチレン（以下、ＰＯＥと略す）ラウリルエーテル硫酸ナトリウム（ラウレス硫酸ナトリウム）；ＰＯＥラウリルエーテル酢酸ナトリウム（ラウレス酢酸ナトリウム）；ＰＯＥアルキル／アルキルアリルエーテル硫酸塩；アルケニル硫酸塩；アルケニルエーテル硫酸塩；アルキル又はアルケニルエーテルカルボン酸塩；スルホコハク酸塩；Ｎ−アシルスルホン酸塩；アルキルベンゼンスルホン酸塩；オレフィンスルホン酸塩；アルカンスルホン酸塩；ＰＯＥアルキルエーテルリン酸およびその塩；アシルイセチオン酸；モノアルキルリン酸塩；アミノ酸系；加水分解タンパク質系；カリ石鹸素地から選ばれ、
ショ糖脂肪酸エステル（Ａ）のＨＬＢが５．５を超え、かつポリグリセリン脂肪酸エステル（Ｂ）のＨＬＢが５．５を超えることを特徴とする洗浄剤組成物。
【請求項２】
イオン性界面活性剤（Ｃ）の重量と、ショ糖脂肪酸エステル（Ａ）およびポリグリセリン脂肪酸エステル（Ｂ）の合計の重量との比が、１：１０〜１００：１であることを特徴とする請求項１に記載の洗浄剤組成物。
【請求項３】
ショ糖脂肪酸エステル（Ａ）の重量と、ポリグリセリン脂肪酸エステル（Ｂ）の重量との比が０．０１７５：１〜１：０．０１７５であることを特徴とする請求項１または２に記載の洗浄剤組成物。
【請求項４】
ショ糖脂肪酸エステル（Ａ）の配合量と、ポリグリセリン脂肪酸エステル（Ｂ）の配合量との和が０．３５〜２０重量％であることを特徴とする請求項１〜３のいずれか１項に記載の洗浄剤組成物。
【請求項５】
ショ糖脂肪酸エステル（Ａ）が、ショ糖と炭素数８〜２２の脂肪酸とのエステルであることを特徴とする請求項１〜４のいずれか１項に記載の洗浄剤組成物。
【請求項６】
ポリグリセリン脂肪酸エステル（Ｂ）が、ポリグリセリンと炭素数８〜２０の脂肪酸とのエステルであることを特徴とする請求項１〜５のいずれか１項に記載の洗浄剤組成物。
【請求項７】
イオン性界面活性剤（Ｃ）が、ラウレス硫酸ナトリウム、ラウレス−６酢酸ナトリウム、ラウロイルシルクアミノ酸ナトリウム、ココイルメチルタウリンナトリウム、ラウロイルメチルアラニンナトリウム、カリ石鹸素地、コカミドプロピルベタイン、ココアンホ酢酸ナトリウム、ステアルトリモニウムクロリド、およびコカミドメチルＭＥＡから選ばれる少なくとも１種であることを特徴とする請求項１〜６のいずれか１項に記載の洗浄剤組成物。
【請求項８】
２種以上のイオン性界面活性剤（Ｃ）を用いることを特徴とする請求項１〜７のいずれか１項に記載の洗浄剤組成物。
【請求項９】
犬の洗浄に用いられることを特徴とする請求項１〜８のいずれか１項に記載の洗浄剤組成物。
【発明の詳細な説明】
【技術分野】
【０００１】
本発明は、洗浄剤組成物に関し、特に使用後の頭皮および皮膚の痒みを抑制した洗浄剤組成物に関する。
【背景技術】
【０００２】
従来、頭および体に用いられる洗浄剤組成物には、泡立ちの良好なアニオン界面活性剤等のイオン性界面活性剤を配合していた。
しかしながら、これらのイオン性界面活性剤は電荷に偏りがあるため、帯電している頭皮および皮膚表面にひきつけられ、水洗しても洗い残りが生じていた。そして、イオン性界面活性剤は、頭皮および皮膚への刺激があるため、洗い残されたイオン性界面活性剤は、痒みの原因となり、特に皮膚の弱い人や皮膚の薄い動物に用いると著しい痒みを生じていた。
【０００３】
そこで、頭皮および皮膚への刺激の少ないポリグリセリン脂肪酸エステルをイオン性界面活性剤とともに配合し、低刺激にした洗浄剤組成物が知られている（たとえば特許文献１〜３参照）。しかしながら、これらの公知技術は、洗浄剤組成物使用時の刺激を抑制することを目的としており、水洗をした後の洗浄剤組成物の洗い残りによる刺激の緩和を目的としたものではなかった。
【０００４】
一方、洗浄剤組成物に粘性を与える目的で、洗浄剤組成物にショ糖脂肪酸エステルを配合することが知られている（たとえば特許文献４および５参照）。これらの文献では、ショ糖脂肪酸エステルの好適なＨＬＢ値および配合量が記載されているが、それらは起泡性の観点や、増粘性の観点から定められているものであった。
【先行技術文献】
【特許文献】
【０００５】
【特許文献１】特開平７−１８２９２号公報
【特許文献２】特開２００３−４８８２２号公報
【特許文献３】特開２００３−４１２９９号公報
【特許文献４】特開平１１−７９９５５号公報
【特許文献５】特開２００７−１３８０２３号公報
【発明の概要】
【発明が解決しようとする課題】
【０００６】
本発明は、泡立ちが良好でありながら、使用後に頭皮および皮膚に痒みを生じない洗浄剤組成物を提供することを目的とする。
【課題を解決するための手段】
【０００７】
本発明は、たとえば以下の［１］〜［８］である。
［１］ショ糖脂肪酸エステル（Ａ）０．１７５〜１０重量％、ポリグリセリン脂肪酸エステル（Ｂ）０．１７５〜１０重量％、およびイオン性界面活性剤（Ｃ）２〜３５重量％を含み、
ショ糖脂肪酸エステル（Ａ）のＨＬＢが５．５を超え、かつポリグリセリン脂肪酸エステル（Ｂ）のＨＬＢが５．５を超えることを特徴とする洗浄剤組成物。
【０００８】
［２］イオン性界面活性剤（Ｃ）の重量と、ショ糖脂肪酸エステル（Ａ）およびポリグリセリン脂肪酸エステル（Ｂ）の合計の重量との比が、１：１０〜１００：１であることを特徴とする［１］に記載の洗浄剤組成物。
【０００９】
［３］ショ糖脂肪酸エステル（Ａ）の重量と、ポリグリセリン脂肪酸エステル（Ｂ）の重量との比が０．０１７５：１〜１：０．０１７５であることを特徴とする［１］または［２］に記載の洗浄剤組成物。
【００１０】
［４］ショ糖脂肪酸エステル（Ａ）の配合量と、ポリグリセリン脂肪酸エステル（Ｂ）の配合量との和が０．３５〜２０重量％であることを特徴とする［１］〜［３］のいずれかに記載の洗浄剤組成物。
【００１１】
［５］ショ糖脂肪酸エステル（Ａ）が、ショ糖と炭素数８〜２２の脂肪酸とのエステルであることを特徴とする［１］〜［４］のいずれかに記載の洗浄剤組成物。
［６］ポリグリセリン脂肪酸エステル（Ｂ）が、ポリグリセリンと炭素数８〜２０の脂肪酸とのエステルであることを特徴とする［１］〜［５］のいずれかに記載の洗浄剤組成物。
【００１２】
［７］２種以上のイオン性界面活性剤（Ｃ）を用いることを特徴とする［１］〜［６］のいずれかに記載の洗浄剤組成物。
［８］犬の洗浄に用いられることを特徴とする［１］〜［７］のいずれかに記載の洗浄剤組成物。
【発明の効果】
【００１３】
本発明の洗浄剤組成物は、泡立ちが良好で、さっぱりと頭および体を洗い上げることができる。そして、本発明の洗浄剤組成物を使用して洗浄した後の頭皮および皮膚は、痒みが抑制され、痒みの抑制効果が持続する。特に、人間よりも皮膚の薄い犬等の動物の洗浄に用いても、使用後の痒みの抑制効果およびその持続性が良好である。また、本発明の洗浄剤組成物を使用して洗浄した毛髪および毛は、きしみがなく、まとまりがよい。
【発明を実施するための形態】
【００１４】
以下、本発明について具体的に説明する。
本発明の洗浄剤組成物は、ショ糖脂肪酸エステル（Ａ）（以下「（Ａ）成分」ともいう。）０．１７５〜１０重量％、ポリグリセリン脂肪酸エステル（Ｂ）（以下「（Ｂ）成分」ともいう。）０．１７５〜１０重量％、およびイオン性界面活性剤（Ｃ）（以下「（Ｃ）成分」ともいう。）２〜３５重量％を含み、
ショ糖脂肪酸エステル（Ａ）のＨＬＢが５．５を超え、かつポリグリセリン脂肪酸エステル（Ｂ）のＨＬＢが５．５を超えることを特徴とする。
【００１５】
１．ショ糖脂肪酸エステル（Ａ）
本発明において用いられるショ糖脂肪酸エステル（Ａ）は、ショ糖と脂肪酸とのエステルである。
【００１６】
前記脂肪酸の炭素数としては、８〜２２が好ましく、１２〜１８がより好ましい。
ショ糖脂肪酸エステルのＨＬＢは、５．５を超える値であり、７以上１６以下の値であることが好ましい。ショ糖脂肪酸エステルのＨＬＢが上記範囲より低いと、泡立ちが良好でなく、痒みを抑制する効果に乏しい。本明細書において（Ａ）成分のＨＬＢ値は、アトラス法により求めた値をいう。具体的には、ショ糖脂肪酸エステルのけん化価をＳ、構成脂肪酸の酸価をＡとすると、
ＨＬＢ＝２０×［１−（Ｓ／Ａ）］で求めた値をいう。
【００１７】
ショ糖脂肪酸エステル（Ａ）の例としては、ラウリン酸スクロース、ミリスチン酸スクロース、パルミチン酸スクロース、ステアリン酸スクロース、オレイン酸スクロース、ジステアリン酸スクロース等が挙げられる。これらは１種単独で用いても、２種以上組み合わせて用いてもよい。
【００１８】
ショ糖脂肪酸エステルの配合量は、洗浄剤組成物１００重量％に対して、０．１７５〜１０重量％であり、０．５〜５重量％が好ましい。ショ糖脂肪酸エステルの配合量が、上記範囲より少ないと、痒みを抑制する効果に乏しい。
【００１９】
２．ポリグリセリン脂肪酸エステル（Ｂ）
本発明において用いられるポリグリセリン脂肪酸エステル（Ｂ）は、ポリグリセリンと脂肪酸とのエステルである。
前記脂肪酸の炭素数としては、８〜２０が好ましく、１２〜１８がより好ましい。
前記ポリグリセリンの重合度は、平均重合度で２〜３０が好ましく、２〜１０がより好ましい。
【００２０】
ポリグリセリン脂肪酸エステルのＨＬＢは、５．５を超える値であり、７以上１６以下の値であることが好ましい。ポリグリセリン脂肪酸エステルのＨＬＢが上記範囲より低いと、泡立ちが良好でなく、痒みを抑制する効果に乏しい。本明細書において（Ｂ）成分のＨＬＢ値は、曇数Ｂ（無水の試料０．５ｇを９８重量％エチルアルコール５ｍｌに溶解し、２５℃に保ち、かき混ぜながら２重量％フェノール水溶液で滴定したときの、フェノール水溶液の滴下ｍｌ数）を用いて次式により求めた値をいう。
ＨＬＢ＝曇数Ｂ×０．８９＋１．１１
ポリグリセリン脂肪酸エステル（Ｂ）の例としては、ラウリン酸ポリグリセリル−６、ラウリン酸ポリグリセリル−１０、ミリスチン酸ポリグリセリル−６、ミリスチン酸ポリグリセリル−１０、ステアリン酸ポリグリセリル−６、ステアリン酸ポリグリセリル−１０、ジステアリン酸ポリグリセリル−６、トリステアリン酸ポリグリセリル−１０、オレイン酸ポリグリセリル−１０、トリオレイン酸ポリグリセリル−１０、トリイソステアリン酸ポリグリセリル−１０等が挙げられる。これらは１種単独で用いても、２種以上組み合わせて用いてもよい。これらの中でも、ラウリン酸ポリグリセリル−６、ラウリン酸ポリグリセリル−１０、ミリスチン酸ポリグリセリル−６、ミリスチン酸ポリグリセリル−１０、ステアリン酸ポリグリセリル−６、ステアリン酸ポリグリセリル−１０、オレイン酸ポリグリセリル−１０、トリオレイン酸ポリグリセリル−１０が好ましい。
【００２１】
ポリグリセリン脂肪酸エステル（Ｂ）のエステル比率は５〜５０が好ましく、５〜２０がより好ましい。
ポリグリセリン脂肪酸エステルの配合量は、洗浄剤組成物１００重量％に対して、０．１７５〜１０重量％であり、０．５〜５重量％が好ましい。ポリグリセリン脂肪酸エステルの配合量が、上記範囲より少ないと、痒みを抑制する効果に乏しい。また、ポリグリセリン脂肪酸エステルの配合量が、上記範囲にあると、毛髪のまとまりが良好であり、その上限に近づくほどその効果は顕著である。
【００２２】
３．イオン性界面活性剤（Ｃ）
本発明において用いられるイオン性界面活性剤としては、カチオン性界面活性剤、アニオン性界面活性剤、および両性界面活性剤が挙げられる。
【００２３】
上記カチオン性界面活性剤としては、たとえば、塩化アルキルトリメチルアンモニウム（たとえばステアルトリモニウムクロリド）、塩化ラウリルトリメチルアンモニウム、塩化セチルトリメチルアンモニウム、塩化ステアリルトリメチルアンモニウム、塩化ジステアリルジメチルアンモニウム、塩化ジココイルジメチルアンモニウム、塩化トリ（ポリオキシエチレン）ステアリルアンモニウム（5E.O.）、塩化ジ（ポリオキシエチレン）オレイルメチルアンモニウム（2E.O.）、臭化ラウリルトリメチルアンモニウム、臭化セチルトリメチルアンモニウム、臭化ステアリルトリメチルアンモニウム等の４級アンモニウム塩；脂肪酸アミドアミン塩；アルキルトリアルキレングリコールアンモニウム塩；ベンザルコニウム塩、；ベンゼトニウム塩；ピリジウム塩；イミダゾリニウム塩；コカミドメチルＭＥＡ、コカミドＭＥＡ、コカミドＤＥＡ、アルキルアミンオキサイド等の擬カチオン性の界面活性剤などが挙げられる。
【００２４】
アニオン性界面活性剤としては、たとえば、ラウリル硫酸ナトリウムなどのアルキル硫酸塩；ポリオキシエチレン（以下、ＰＯＥと略す）ラウリルエーテル硫酸ナトリウム（ラウレス硫酸ナトリウム）；ＰＯＥラウリルエーテル酢酸ナトリウム（ラウレス酢酸ナトリウム、たとえばラウレス−６酢酸Ｎａ）；ＰＯＥノニルフェニルエーテル硫酸ナトリウム等のＰＯＥアルキル／アルキルアリルエーテル硫酸塩；アルケニル硫酸塩；アルケニルエーテル硫酸塩；アルキル又はアルケニルエーテルカルボン酸塩；スルホコハク酸塩；Ｎ−アシルスルホン酸塩；アルキルベンゼンスルホン酸塩；オレフィンスルホン酸塩；アルカンスルホン酸塩；ＰＯＥアルキルエーテルリン酸およびその塩；アシルイセチオン酸；モノアルキルリン酸塩；ココイルメチルタウリンナトリウム、ラウロイルメチルアラニンナトリウム、N-アシル-L-グルタミン酸塩、N-アシルサルコシン塩、ラウロイルアスパラギン酸塩、ココイルグリシン塩、ラウロイルシルクアミノ酸ナトリウム等のアミノ酸系；ラウロイル加水分解シルクナトリウム、ヤシ油脂肪酸加水分解大豆たん白カリウム液、ココイル化牛分解コラーゲンカリウム等の加水分解タンパク質系；カリ石鹸素地などが挙げられる。
【００２５】
両性界面活性剤としては、たとえば、ココアンホ酢酸ナトリウム等のイミダゾリウムベタイン型の両性界面活性剤；コカミドプロピルベタイン、ラウリルジメチルアミノ酢酸ベタイン等のベタイン型；２−ウンデシル−Ｎ，Ｎ，Ｎ−（ヒドロキシエチルカルボキシメチル）−２−イミダゾリンナトリウム等のイミダゾリン型；アミノ酸型、アルキルジメチルアミンオキサイド、リン脂質などが挙げられる。
【００２６】
これらの界面活性剤は、１種単独で用いても、２種以上組み合わせて用いてもよいが、２種以上組み合わせて用いると、痒みを抑制する効果、泡立ち、洗髪時の毛髪の感触の良好さ、および洗いあがりの感触の良好さがバランスよく発揮されて好ましい。
【００２７】
イオン性界面活性剤の配合量は、洗浄剤組成物１００重量％に対して、２〜３５重量％であり、５〜２５重量％が好ましい。イオン性界面活性剤の配合量が、上記範囲より少ないと、泡立ちおよび洗浄力が弱くなり、上記範囲より多いと、泡立ちおよび洗浄力が強すぎるとともに、皮膚上への残存量が増え、皮膚刺激の原因となる。
【００２８】
４．その他の成分
本発明の洗浄剤組成物は、さらに、本発明の効果を損なわない範囲で、上記成分以外に、（Ａ）成分および（Ｂ）成分以外の非イオン性界面活性剤、油剤、脂質、保湿剤、高分子化合物、コンディショニング剤、生薬類、ｐH調整剤、キレート剤、防腐剤、清涼剤、ビタミン類、蛋白質、香料、抗菌剤、酸化防止剤、抗炎症剤、および色素等の添加剤を含有することができる。
【００２９】
（Ａ）成分および（Ｂ）成分以外の非イオン性界面活性剤の例としては、アルキルグルコシド、メチルグルセス‐10 、メチルグルセス‐20 、ソルビタン脂肪酸エステル、ポリオキシエチレンソルビタン脂肪酸エステル、ポリオキシエチレン硬化ヒマシ油、ポリオキシエチレンアルキルエーテル、ポリオキシエチレンポリオキシプロピレンアルキルエーテル、ポリオキシエチレン脂肪酸エステル、ポリオキシエチレンコレスタノール、ポリオキシエチレンフィトスタノール、糖エステル系、糖エーテル系、糖アミド系、サポニン、ポリオキシエチレンメチルグルコシドなどが挙げられる。
【００３０】
油剤の例としては、不揮発性炭化水素、植物油、ロウ類、シリコーン、変性シリコーンおよびシリコーンエマルジョン類等が挙げられ、本明細書では、不揮発性炭化水素は沸点が２６０℃を超えるものとして定義するが、具体例としては、流動パラフィン、スクワレン、パラフィン、セレシン、スクワラン、ワセリンおよびマイクロクリスタリンワックス、ポリエチレンなどが挙げられる。植物油としては、アボガド油、椿油、マカデミアナッツ油、トウモロコシ油、オリーブ油、ナタネ油、卵黄油、ゴマ油、パーシック油、小麦胚芽油、サザンカ油、ヒマシ油、亜麻仁油、サフラワー油、綿実油、大豆油、落下生油、茶実油およびコメヌカ油等が挙げられる。ロウ類としては、キャンデリラロウ、カルナバロウ、ミツロウ、鯨ロウ、ラノリン、還元ラノリン、酢酸ラノリン、ラノリン脂肪酸イソプロピルおよびラノリン脂肪酸オクチルドデシル、シア脂などが挙げられる。シリコーンとしては、ジメチルポリシロキサン、シクロペンタシロキサン、メチルポリシロキサンおよびジフェニルシロキシフェニルメチコンなどが挙げられる。これらは１種類単独で用いても、２種類以上組み合わせて用いてもよい。
【００３１】
脂質の例としてはセラミド、脂肪酸、アシルグリセロール、ワックス、ステロールおよびそのエステル等が挙げられる。
保湿剤の例としてはベタイン、アミノ酸類、ピロリドンカルボン酸およびその塩、ヒドロキシカルボン酸、多価アルコールおよびそのエステル等が挙げられる。これら保湿剤を含む場合は、配合量は好ましくは０．１〜３０重量％である。
【００３２】
高分子化合物の例としてはアニオン系、ノニオン系およびカチオン系の高分子化合物が挙げられる。カチオン系の高分子化合物としては、カチオン化グアーガム、カチオン化セルロース、（ジメチルアクリルアミド／メタクリル酸エチルトリモニウムクロリド）コポリマー、カチオン化デンプン、カチオン化デキストラン、カチオン化ハチミツ、アミノ変性シリコーンなどが挙げられる。アニオン系の高分子化合物としては、カルボキシエチルセルロース、キサンタンガム、（アクリロイルジメチルタウリンアンモニウム／ＶＰ）コポリマー、アクリル酸系のカルボキシビニルポリマーなどが挙げられる（ＶＰはビニルピロリドンを示す）。ノニオン系の高分子化合物としては、グアーガム、デキストランおよびそのエステル、デキストリン、プルラン、ヒドロキシエチルセルロース、ヒドロキシプロピルセルロースなどの多糖類、ポリアクリル酸アミド、ポリビニルアルコール、ポリビニルピロリドンおよびその誘導体、ポリエチレングリコールおよびそのエステルなどが挙げられる。これらは１種類単独で用いても、２種類以上組み合わせて用いてもよい。これら高分子化合物を含む場合は、配合量は好ましくは０．０１〜２０重量％である。
【００３３】
コンディショニング剤の例としては、ポリクオタニウム−６、ポリクオタニウム−７、ポリクオタニウム−１１、ポリクオタニウム−２２、ポリクオタニウム−４７、ポリクオタニウム−５３、ポリエチレンイミン等が挙げられる。配合量は好ましくは０．０１〜１０重量％である。これらコンディショニング剤を含む場合は、配合量は好ましくは０．０１〜５重量％である。
【００３４】
生薬類の例としては、植物エキスが挙げられ、たとえばダイサンチクエキス、アルニカエキス、カモミラエキス、シコンエキス、シナノキエキス、スギナエキス、セイヨウノコギリソウエキス、セージエキス、トウキエキス、ノバラエキス、ビワ葉エキス、マロニエエキス、モモ葉エキス、ヨクイニンエキスおよびローズマリーエキス、サピンヅストリホリアツス果実エキス、ムクロジエキスなどが挙げられる。これらは１種類単独で用いても、２種類以上組み合わせて用いてもよい。
【００３５】
ｐH調整剤としてはトリエタノールアミン、水酸化ナトリウム、水酸化カリウム、アンモニア、カルボン酸、アミノ酸、等が挙げられる。
キレート剤、防腐剤、清涼剤、ビタミン類、蛋白質、香料、抗菌剤、酸化防止剤、抗炎症剤および色素については、当業者に公知のものが用いられる。
本発明の洗浄剤組成物は、水を含むことが好ましく、水としては、イオン交換水、蒸留水、精製水および天然水などが挙げられ、殺菌済みのものが好ましい。
【００３６】
５．洗浄剤組成物
本発明の洗浄剤組成物は、イオン性界面活性剤（Ｃ）の重量と、ショ糖脂肪酸エステル（Ａ）およびポリグリセリン脂肪酸エステル（Ｂ）の合計の重量との比が、１：１０〜１００：１であることが好ましく、１：２〜２５：１であることがより好ましい。（Ｃ）成分と（Ａ）成分および（Ｂ）成分との重量比が上記範囲にあると、痒みを抑制する効果がより優れ、泡立ちの効果もより優れる。
【００３７】
本発明の洗浄剤組成物は、ショ糖脂肪酸エステル（Ａ）の重量と、ポリグリセリン脂肪酸エステル（Ｂ）の重量との比が０．０１７５：１〜１：０．０１７５であることが好ましく、０．１：１〜１：０．１であることがより好ましい。（Ａ）成分と（Ｂ）成分との重量比が上記範囲にあると、痒みを抑制する効果がより優れる。
【００３８】
本発明の洗浄剤組成物は、ショ糖脂肪酸エステル（Ａ）の配合量と、ポリグリセリン脂肪酸エステル（Ｂ）の配合量との和が０．３５〜２０重量％であることが好ましく、１．０〜１０重量％であることがより好ましい。（Ａ）成分の配合量と（Ｂ）成分の配合量との和が上記範囲にあると、痒みを抑制する効果がより優れ、泡立ちの効果もより優れる。
【００３９】
６．痒みを抑制するメカニズムの考察
本発明の洗浄剤組成物が、該洗浄剤組成物を用いて洗浄した頭皮や皮膚の痒みを抑制するメカニズムとしては、次のように考えている。
【００４０】
一般にイオン性界面活性剤は、頭皮や皮膚の洗浄に用いると、その電荷の偏りから、頭皮および皮膚の表面の帯電にひきつけられるため、水洗を行っても、完全には洗い流されず、一部は頭皮および皮膚の表面に残存し、頭皮および皮膚の痒みの原因となると考えられる。
【００４１】
ショ糖脂肪酸エステル（Ａ）およびポリグリセリン脂肪酸エステル（Ｂ）は、いずれも、非イオン性の界面活性剤であり、頭皮および皮膚への刺激が少ない成分である。これらは、電荷の偏りがないため、頭皮および皮膚の表面にひきつけられることはない。
【００４２】
本発明において、（Ａ）成分および（Ｂ）成分は、頭皮および皮膚に残存したイオン性界面活性剤（Ｃ）を可溶化すると考えられる。（Ａ）成分は、かさ高い糖骨格により、１分子当たりの（Ｃ）成分を可溶化する量が多いと考えられる。（Ｂ）成分は、長い線状構造により、（Ａ）成分が取り残した（Ｃ）成分を可溶化すると考えられる。このように（Ａ）成分および（Ｂ）成分を組み合わせ、さらに、（Ａ）成分、（Ｂ）成分および（Ｃ）成分の配合量を本発明の範囲内にすることにより、効率よくかつ十分に（Ｃ）成分を（Ａ）成分または（Ｂ）成分に可溶化することができると考えられる。そして、（Ａ）成分および（Ｂ）成分のＨＬＢが本願発明の範囲内にあると、（Ｃ）成分を可溶化した（Ａ）成分および（Ｂ）成分が水に溶解しやすくなり、その結果、水洗を行うことにより可溶化された（Ｃ）成分を頭皮および皮膚から除去する効果が高まると考えられる。また、（Ｃ）成分が水洗後も残存していたとしても、（Ａ）成分および（Ｂ）成分により（Ｃ）成分が可溶化されているので、（Ｃ）成分は頭皮および皮膚に接することがなく、痒みを抑制することができると考えられる。さらには、水洗後頭皮に残存している（Ｂ）成分は、その保湿効果により刺激を緩和すると考えられる。
【００４３】
このように、頭皮および皮膚を（Ｃ）成分の刺激から保護するためには、水洗時に（Ｃ）成分を効率よく頭皮および皮膚から洗い流すとともに、それでもなお残存する（Ｃ）成分の刺激から頭皮および皮膚を保護する必要があると考えられ、（Ａ）成分、（Ｂ）成分および（Ｃ）成分の配合量、（Ａ）成分および（Ｂ）成分のＨＬＢ値を本願発明の範囲とすることにより、それらの目的は達成されていると考えられる。
【００４４】
７．用途
本発明の洗浄剤組成物の剤形としては、液状、泡状、ゲル状、ペースト状等が挙げられる。
【００４５】
本発明の洗浄剤組成物は、人間の毛髪、頭皮および皮膚の洗浄に用いられる他、犬等の動物の毛および皮膚の洗浄にも用いられる。本発明の洗浄剤組成物は、使用後の痒みが抑制されているため、赤ちゃんや、皮膚の弱い人、動物等に特に好適に用いられ、犬に用いられることがさらに好ましい。なぜなら、犬の皮膚は、人間の皮膚の厚さの３分の１程度であり、水洗後も残留するイオン性界面活性剤の刺激を、人間よりも強く感じると考えられるからである。
本発明の洗浄剤組成物は、毛髪および毛にまとまりを与えきしみを生じないことから、シャンプーとして好適に用いられる。
【００４６】
８．製造方法
本発明の洗浄剤組成物は、上述した各成分を、公知の方法で、撹拌、混合、加熱、溶解、分散等することによって製造することができ、製造方法はとくに限定されない。
【実施例】
【００４７】
以下、実施例に基づいて本発明をさらに具体的に説明するが、本発明はこれらの実施例に限定されるものではない。
［評価について］
評価項目１〜４については、被験者１０人が１人ずつ官能評価または評価を行った。評価項目５は、専門パネラー（トリマー）１名が柴犬１０匹を１匹ずつ評価した。表８および９の評価項目６〜９については、専門パネラー（トリマー）１０名が１人ずつ官能評価または評価を行った。表１〜７の評価項目６〜９については、専門パネラー（美容師）１０名が１人ずつ官能評価を行った。評価は各項目ごとに記載した下記の評価点基準による１０名の平均点を算出し、平均点が３．５点以上の場合を◎、２．５点以上３．５点未満の場合を○、１．５点以上２．５点未満の場合を△、１．５点未満の場合を×と判定した。
【００４８】
＜評価項目１＞頭皮の抑痒効果（即効性）
洗浄剤組成物を使用した時に痒みの出た経験のある被験者１０名が、各洗浄剤組成物５ｇ用いて洗髪し、水洗し、毛髪および頭皮を乾かした後、３０分間の頭皮の痒みにつき評価した。
４点：頭皮にほとんどあるいはまったく痒みを感じない。
３点：頭皮がときどきむずむずするが、とくに掻かなくても我慢できる。
２点：ときに頭皮に手がゆき、軽く掻く程度で一応おさまり、あまり気にならない。
１点：頭皮がかなり痒く、人前でも掻く。痒みのためにイライラし、絶えず掻いている。
【００４９】
＜評価項目２＞頭皮の抑痒効果（持続性）
洗浄剤組成物を使用した時に痒みの出た経験のある被験者１０名が、各洗浄剤組成物５ｇ用いて洗髪し、水洗し、毛髪および頭皮を乾かした後、１日間の頭皮の痒みにつき評価した。
４点：頭皮にほとんどあるいはまったく痒みを感じない。
３点：頭皮がときどきむずむずするが、とくに掻かなくても我慢できる。
２点：ときに頭皮に手がゆき、軽く掻く程度で一応おさまり、あまり気にならない。
１点：頭皮がかなり痒く、人前でも掻く。痒みのためにイライラし、絶えず掻いている。
【００５０】
＜評価項目３＞体の抑痒効果（即効性）
洗浄剤組成物を使用して頭皮を洗浄した際、体に着いた洗浄剤組成物による痒みを抑制する効果について確認した。具体的には、洗浄剤組成物を使用した時に痒みの出た経験のある被験者１０名が、入浴時に体を洗った後、各洗浄剤組成物５ｇ用いて洗髪し、髪および体を水洗し、その後、毛髪、頭皮および体を乾かした後、３０分間の体を掻く回数を数えて評価した。
４点：０〜３回
３点：４〜７回
２点：８〜11回
１点：１２回以上
【００５１】
＜評価項目４＞体の抑痒効果（持続性）
洗浄剤組成物を使用して頭皮を洗浄した際、体に着いた洗浄剤組成物による痒みを抑制する効果について確認した。具体的には、洗浄剤組成物を使用した時に痒みの出た経験のある被験者１０名が、入浴時に体を洗った後、各洗浄剤組成物５ｇ用いて洗髪し、髪および体を水洗し、その後、毛髪、頭皮および体を乾かした後、１日間の体の痒みにつき評価した。
４点：体にほとんどあるいはまったく痒みを感じない。
３点：体がときどきむずむずするが、とくに掻かなくても我慢できる。
２点：ときに体に手がゆき、軽く掻く程度で一応おさまり、あまり気にならない。
１点：体がかなり痒く、人前でも掻く。痒みのためにイライラし、絶えず掻いている。
【００５２】
＜評価項目５＞犬の引っ掻き行動
柴犬１０匹を各洗浄剤組成物２０ｇを用いて洗浄し、水洗し、乾かした後、３０分間の柴犬の引っ掻き回数を数えて評価した。なお、３秒以上体を掻く行動が続いた場合を、１回として数えた。
４点：０〜４回
３点：５〜９回
２点：１０〜１４回
１点：１５回以上
【００５３】
［評価項目６〜９の評価］
表１〜７の人間に関する評価項目６については、PAMS社製の人毛ウィッグUNを各洗浄剤組成物５ｇ用いて洗髪した時の泡立ちを目視にて評価した。
表１〜７の人間に関する評価項目７〜９については、PAMS社製の人毛ウィッグUNを各洗浄剤組成物５ｇ用いて洗髪し、水洗し、乾燥した後、評価項目７および９については手触りで、評価項目８については目視にて評価した。
【００５４】
表８および９の犬に関する評価項目６については、柴犬を各洗浄剤組成物２０ｇ用いて洗浄した時の泡立ちを目視にて評価した。
表８および９の犬に関する評価項目７〜９については、柴犬を各洗浄剤組成物２０ｇ用いて洗浄し、水洗し、乾燥した後、評価項目７および９については手触りで、評価項目８については目視にて評価した。
【００５５】
＜評価項目６＞泡立ち
４点: 泡立ちが良い。
３点：泡立ちがやや良い。
２点：泡立ちがやや悪い。
１点：泡立ちが悪い。
【００５６】
＜評価項目７＞きしみ
４点: 毛髪または毛にきしみ感がまったくなく、なめらかである。
３点：毛髪または毛にほとんどきしみ感がない。
２点：毛髪または毛にすこしきしみ感がある。
１点：毛髪または毛にきしみ感がある。
【００５７】
＜評価項目８＞まとまり
４点: 毛髪または毛がきれいにまとまっている。
３点：毛髪または毛がややきれいにまとまっている。
２点：毛髪または毛があまりまとまっていない。
１点：毛髪または毛がまとまっていない。
【００５８】
＜評価項目９＞さっぱり感
４点: 毛髪または毛がとてもさっぱりしている。
３点：毛髪または毛がややさっぱりしている。
２点：毛髪または毛があまりさっぱりしていない。
１点：毛髪または毛がさっぱりしていない。
【００５９】
［実施例１〜６５および比較例１〜１８］
表１〜９に示す処方の各成分を混合することにより、洗浄剤組成物を調製した。なお、各表中、配合量の単位は重量％であり、洗浄剤組成物全体を１００重量％とする。
【００６０】
【表１】
0006482808.tif 000002
【００６１】
【表２】
0006482808.tif 000003
【００６２】
【表３】
0006482808.tif 000004
【００６３】
【表４】
0006482808.tif 000005
【００６４】
【表５】
0006482808.tif 000006
【００６５】
【表６】
0006482808.tif 000007
【００６６】
【表７】
0006482808.tif 000008
【００６７】
【表８】
0006482808.tif 000009
【００６８】
【表９】
0006482808.tif 000010
【００６９】
実施例１〜１０と比較例１〜４とを比較すると、（Ａ）成分および（Ｂ）成分のいずれか一方の配合量が、本願発明の範囲内にない洗浄剤組成物を使用すると、使用後に頭皮および体に痒みが生じ、まとまりも悪いことがわかる。
【００７０】
実施例１１および１２と比較例５とを比較すると、（Ｃ）成分の配合量が、本願発明の範囲より少ない洗浄剤組成物を使用すると、泡立ちが悪く、まとまりも悪いことがわかる。
【００７１】
実施例１１および１２と比較例６とを比較すると、（Ｃ）成分の配合量が、本願発明の範囲より多い洗浄剤組成物を使用すると、使用後に頭皮および体に痒みが生じ、まとまりも悪いことがわかる。
【００７２】
実施例１３〜１９と比較例７および８とを比較すると、（Ａ）成分および（Ｂ）成分のいずれかが配合されていない洗浄剤組成物を使用すると、使用後に頭皮および体に痒みが生じることがわかる。
【００７３】
実施例２０〜２７によれば、（Ａ）成分および（Ｂ）成分のそれぞれがＨＬＢ値が５．５を超えていれば、エステルを構成する脂肪酸の種類を変更しても、いずれの例でもすべての評価が◎であることがわかる。
【００７４】
実施例２８〜３３と比較例９および１０とを比較すると、（Ｂ）成分のＨＬＢが５．５を超えていても、（Ａ）成分のＨＬＢが５．５以下である洗浄剤組成物を使用すると、使用後に頭皮および体に痒みが生じるとともに、泡立ちが悪く、さっぱり感もないことがわかる。
【００７５】
実施例３４〜３８と比較例１１〜１４とを比較すると、（Ａ）成分のＨＬＢが５．５を超えていても、（Ｂ）成分のＨＬＢが５．５以下である洗浄剤組成物を使用した場合、または（Ａ）成分および（Ｂ）成分のいずれのＨＬＢも５．５以下の洗浄剤組成物を使用した場合は、使用後に頭皮および体に痒みが生じるとともに、泡立ちが悪く、さっぱり感もないことがわかる。
【００７６】
実施例３９〜４８からは、（Ｃ）成分は、アニオン性界面活性剤であっても、カチオン性界面活性剤であっても、両性界面活性剤であってもよいことがわかる。
実施例４９〜５５によれば、本発明の洗浄剤組成物は、犬の洗浄に用いても、使用後の痒みを抑える効果が得られ、使用感、仕上がりに関する評価も良好であることがわかる。
【００７７】
実施例５６〜６５より、本発明の洗浄剤組成物は、犬に使用しても痒みを抑制することができることがわかり、実施例５６〜６５と比較例１５〜１８とを比較すると、（Ａ）成分および（Ｂ）成分のいずれか一方の配合量が、本願発明の範囲内にない洗浄剤組成物を使用すると、使用後に痒みが生じ、まとまりも悪いことがわかる。
【００７８】
なお、実施例では以下の市販品を用いた。
ラウリン酸スクロース（ＨＬＢ＝１５）：三菱化学フーズ（株）製のサーフホープSE COSME C-1215L
ラウリン酸スクロース（ＨＬＢ＝１６）：三菱化学フーズ（株）製のサーフホープSE COSME C-1216
ジラウリン酸スクロース（ＨＬＢ＝５）：三菱化学フーズ（株）製のサーフホープSE COSME C-1205
ミリスチン酸スクロース（ＨＬＢ＝１６）：三菱化学フーズ（株）製のサーフホープSE COSME C-1416
パルミチン酸スクロース（ＨＬＢ＝１６）：三菱化学フーズ（株）製のサーフホープSE COSME C-1616
トリステアリン酸スクロース（ＨＬＢ＝３）：三菱化学フーズ（株）製のサーフホープSE COSME C-1803
ジステアリン酸スクロース（ＨＬＢ＝７）：三菱化学フーズ（株）製のサーフホープSE COSME C-1807
ジステアリン酸スクロース（ＨＬＢ＝９）：三菱化学フーズ（株）製のサーフホープSE COSME C-1809
ステアリン酸スクロース（ＨＬＢ＝１１）：三菱化学フーズ（株）製のサーフホープSE COSME C-1811
ステアリン酸スクロース（ＨＬＢ＝１５）：三菱化学フーズ（株）製のサーフホープSE COSME C-1815
ステアリン酸スクロース（ＨＬＢ＝１６）：三菱化学フーズ（株）製のサーフホープSE COSME C-1816
オレイン酸スクロース（ＨＬＢ＝１５）：三菱化学フーズ（株）製のサーフホープSE COSME C-1715
ラウリン酸ポリグリセリル−６：日光ケミカルズ（株）製のNIKKOL Hexaglyn 1-L
ラウリン酸ポリグリセリル−１０：太陽化学（株）製のサンソフト Q-12S-C
ミリスチン酸ポリグリセリル−６：日光ケミカルズ（株）製のNIKKOL Hexaglyn 1-M
ミリスチン酸ポリグリセリル−１０：太陽化学（株）製のサンソフト Q-14S-C
ステアリン酸ポリグリセリル−６：日光ケミカルズ（株）製のNIKKOL Hexaglyn 1-SV
ステアリン酸ポリグリセリル−１０：日光ケミカルズ（株）製のNIKKOL Decaglyn 1-SV
オレイン酸ポリグリセリル−２：日光ケミカルズ（株）製のNIKKOL DGMO-90V
オレイン酸ポリグリセリル−１０：日光ケミカルズ（株）製のNIKKOL Decaglyn 1-OV
トリオレイン酸ポリグリセリル−１０：日光ケミカルズ（株）製のNIKKOL Decaglyn 3-OV
ペンタオレイン酸ポリグリセリル−１０：日光ケミカルズ（株）製のNIKKOL Hexaglyn Decaglyn 5-OV
ラウレス−６酢酸Ｎａ：花王（株）製のカオーアキポ  RLM-45NV
ココアンホ酢酸Ｎａ：花王（株）製のアンヒトール  ２０ＹＢ
ラウレス硫酸Ｎａ：花王（株）製のエマール  ２２７ＨＰ
ラウロイルシルクアミノ酸Ｎａ：ＰＨＹＴＯＣＯＳ社（仏国）製のＮ−ラウロイルシルクアミノ酸Ｎａ水溶液
ココイルメチルタウリンＮａ：日油（株）製のダイヤポン  Ｋ−ＳＦ
ラウロイルメチルアラニンＮａ：川研ファインケミカル（株）製のアラノンＡＬＥ
カリ石鹸素地：ミヨシ油脂（株）製のアンホレックス KW-33
コカミドプロピルベタイン：三洋化成工業（株）製のレボン２０００
ステアルトリモニウムクロリド：東邦化学工業（株）製のカチナールＳＴＣ−７０ＥＴ
コカミドメチルＭＥＡ：花王（株）製のアミノーン  Ｃ−１１Ｓ
カチオン化グアーガム：大日本製薬（株）製のラボールガム  ＣＧ−Ｍ８Ｍ
ポリクオタニウム−７：日本ルーブリゾール（株）製のマーコート  ５５０